(57)【要約】【課題】部屋の天井に設けられたレールの配置を有効に利用して種々なパネルの配置を安定して実現し得る可動間仕切装置を提供する。【解決手段】本発明に係る可動間仕切装置は、例えば、オフィスの執務空間や会議室を構成している部屋Ｒを平面視複数の空間に仕切り得るように構成されたものである。この可動間仕切装置は、部屋Ｒの天井に配されたレール１と、このレール１に沿って移動可能であり部屋Ｒを間仕切るための複数のパネル２と、レール１に支持され当該レール１の延伸方向に沿って移動可能に構成されパネル２を少なくとも二方向から接続可能であり、且つレール１に沿った所定位置に位置決めされ得る支柱３とを具備することを特徴とする。【選択図】図２
2019100142.tif 000002
【特許請求の範囲】
【請求項１】
部屋を平面視複数の空間に仕切り得るように天井に配されたレールと、
このレールに沿って移動可能であり前記部屋を間仕切るための複数のパネルと、
前記レールに支持され当該レールの延伸方向に沿って移動可能に構成され前記パネルを少なくとも二方向から接続可能であり、且つ前記レールに沿った所定位置に位置決めされ得る支柱と
を具備することを特徴とする可動間仕切装置。
【請求項２】
前記レールが、少なくとも一部に有する屈曲形状により前記部屋を仕切り得るものであり、
前記支柱が、前記レールが屈曲又は交差する屈曲部分に位置決めされる請求項１記載の可動間仕切装置。
【請求項３】
前記支柱が平面視矩形状をなすものであり、
当該矩形状をなす四面の少なくとも二面に前記パネルを接続し得るものである請求項１又は２記載の可動間仕切装置。
【請求項４】
前記パネルが、矩形状をなす前記支柱の前記四面全てに接続し得る請求項３記載の可動間仕切装置。
【請求項５】
前記レールが平面視Ｔ字状をなすように前記天井に設けられたものであり、
前記支柱が、前記レールが交差する前記屈曲部分に位置決めされる請求項１〜４の何れかに記載の可動間仕切装置。
【請求項６】
前記複数のパネルが、平面視Ｌ字状をなすように配列される請求項５記載の可動間仕切装置。
【請求項７】
前記レールが、前記屈曲部分を複数有するものであり、
前記支柱が、それぞれの前記屈曲部分に位置決めされるよう複数設けられている請求項２記載の可動間仕切装置。
【請求項８】
前記支柱が、前記レールに沿った所定位置において前記部屋の前記天井側及び床面側に位置決めされるための位置決め機構を有するものである請求項１〜７の何れかに記載の可動間仕切装置。
【請求項９】
前記位置決め機構が、操作レバーと、操作レバーの動作により動作可能であり前記床面側及び前記天井側に係合し得る係合部と、前記操作レバーの動作寸法よりも大きな作動寸法で前記係合部を動作させる動作寸法増幅部とを有している請求項８記載の可動間仕切装置。
【請求項１０】
前記位置決め機構が、前記係合部が前記天井側及び床面側に位置決めされた後の当該係合部の余剰動作を吸収する緩衝機構を有している請求項８又は９記載の可動間仕切装置。
【請求項１１】
前記パネルが、平面視所定の寸法を有するパネル本体と、このパネル本体から平面視突出することにより前記支柱へ係合し得る突出部とを有している請求項１〜１０の何れかに記載の可動間仕切装置。
【発明の詳細な説明】
【技術分野】
【０００１】
本発明は、例えばオフィスや会議室といった部屋を所定の面積及び形状に区切るために設けられた可動間仕切装置に関するものである。
【背景技術】
【０００２】
従来、例えばオフィスや会議室といった部屋の天井に取り付けられたレールと、このレールに移動可能に懸吊支持された複数枚のパネルとを有し、これら各パネルの端面同士を付き合わせた状態で部屋を平面視レールに沿った空間毎に間仕切ることができる可動間仕切装置が提案されている（例えば、特許文献１参照）。また、このような可動間仕切装置は、スライディングウォールとも称されるもので、部屋を直線状に間仕切る態様のみならず、パネル同士を直交する方向に配置することにより平面視Ｔ字形や平面視十字形（＋：プラス形状）といった形状に間仕切ることも可能である（例えば、特許文献２参照）。その結果、部屋の面積を更に有効に利用することができる。
【先行技術文献】
【特許文献】
【０００３】
【特許文献１】特開２００３−１９３５９９号公報
【特許文献２】特開２０１５−０３１０４１号公報
【発明の概要】
【発明が解決しようとする課題】
【０００４】
ここで上述の通り、部屋を平面視Ｔ字形や平面視十字形（＋：プラス形状）といった形状に間仕切るのであれば、上記特許文献２に記されているようなパネルの保持装置を別途用いることなく部屋を間仕切ることができる。これは各パネルの端部を他のパネル又は部屋の壁面に隙間無く当接させた状態で互いのパネル同士が補強し合うからである。
【０００５】
しかしながら、部屋の天井に沿って設けられたレールに沿って平面視Ｌ字状となるように配置しようとする場合、上記特許文献２に記載されているようなパネルの保持装置を用いなければ並べた各パネル同士の接続強度を十分に保持できないのが現状である。
【０００６】
加えて特許文献２に記載のパネルの保持装置を所望の時のみ適用することも考えられるが、パネルの配置変更毎に当該パネルの保持装置を準備、撤収する手間をパネルの移動とは別異に行わなければならず、部屋のレイアウトの手間が多くなってしまうという不具合がある。
【０００７】
本発明は、上記のような課題のうち、部屋の天井に設けられたレールの配置を有効に利用して種々なパネルの配置を安定して実現し得る可動間仕切装置を提供することを目的とするものである。
【課題を解決するための手段】
【０００８】
本発明は、斯かる目的を達成するために、次のような手段を講じたものである。
【０００９】
すなわち、本発明に係る可動間仕切装置は、部屋を平面視複数の空間に仕切り得るように天井に配されたレールと、このレールに沿って移動可能であり前記部屋を間仕切るための複数のパネルと、前記レールに支持され当該レールの延伸方向に沿って移動可能に構成され前記パネルを少なくとも二方向から接続可能であり、且つ前記レールに沿った所定位置に位置決めされ得る支柱とを具備することを特徴とする。
【００１０】
このようなものであれば、支柱とパネルとを別途準備し、且つ撤収するという煩わしい手間を有効に省くことができる。換言すれば、レールに沿ってパネルを移動させ当該パネルの配置を行う作業に併せて支柱の配置をも行うことができる。その結果本発明によれば、部屋の天井に設けられたレールの配置を有効に利用して種々なパネルの配置を安定して実現し得る可動間仕切装置を提供することができる。
【００１１】
パネル同士が接続し得ない配置において有効に支柱を利用し部屋を仕切る作業をより速やかに行い得るようにするためには、レールが、少なくとも一部に有する屈曲形状により部屋を仕切り得るものであり、支柱を、レールが屈曲又は交差する屈曲部分に位置決めされるように構成することが望ましい。
【００１２】
支柱の汎用性を高くしつつ、種々のレールの配置に適合し易くするためには、支柱を平面視矩形状をなすものとし、当該矩形状をなす四面の少なくとも二面にパネルを接続し得るものとすることが望ましい。
【００１３】
そして、より汎用性の高い支柱をし、部屋を仕切るバリエーションを多彩なものとするためには、パネルが、矩形状をなす支柱の四面全てに接続し得るように支柱を構成することが望ましい。
【００１４】
レールの配置をより有効に使い得る構成として、レールを平面視Ｔ字状をなすように天井に設け、支柱を、レールが交差する屈曲部分に位置決めされるようにすることが望ましい。
【００１５】
また、使用者にとって部屋の間仕切りの自由度をより向上するようにするためには、複数のパネルを、平面視Ｌ字状をなすように配列されるようにすることが好ましい。
【００１６】
更に、部屋の間仕切りのバリエーションをより多彩なものとするためには、レールを、屈曲部分を複数有するものとし、支柱を、それぞれの屈曲部分に位置決めされるよう複数設けることが望ましい。
【００１７】
複数のパネルの位置決めをより確実なものとするためには、支柱に、レールに沿った所定位置において部屋の天井側及び床面側に位置決めされるための位置決め機構を設けることが望ましい。
【００１８】
また、使用者にとって位置決め機構の動作をより簡便且つ確実に行い得るようにするためには、位置決め機構を、操作レバーと、操作レバーの動作により動作可能であり床面側及び天井側に係合し得る係合部と、操作レバーの動作寸法よりも大きな作動寸法で係合部を動作させる動作寸法増幅部とを有する構成とすることが望ましい。
【００１９】
そして、部屋における天井面及び床面との間の寸法の誤差が生じる場合があっても支柱が確実に位置決めされるようにするための構成として、位置決め機構が、係合部が天井側及び床面側に位置決めされた後の当該係合部の余剰動作を吸収する緩衝機構を有している構成とすることが望ましい。
【００２０】
また、部屋の大きさや部屋を間仕切るための寸法の設定により、複数のパネルを連結させた端部の位置と支柱が位置決めされる位置とが離間する場合があるが、斯かる場合であってもパネルが支柱とともに部屋を好適に間仕切るようにする構成として、パネルが、平面視所定の寸法を有するパネル本体と、このパネル本体から平面視突出することにより支柱へ係合し得る突出部とを有している構成を挙げることができる。
【発明の効果】
【００２１】
本発明は、以上説明した構成であるから、部屋の天井に設けられたレールの配置を有効に利用して種々なパネルの配置を安定して実現し得る可動間仕切装置を提供することができる。
【図面の簡単な説明】
【００２２】
【図１】本発明の一実施形態に係る外観図。
【図２】同実施形態に係る模式的な平面図。
【図３】同実施形態に係る支柱の構成説明図。
【図４】図３に係る動作説明図。
【図５】同実施形態に係る支柱の動作を説明するための模式的な原理図。
【図６】図５に係る動作説明図。
【図７】同支柱の上端部分の構成説明図。
【図８】図７に係る動作説明図。
【図９】同実施形態に係る支柱の下端部分の説明図。
【図１０】同実施形態に係る要部の平面図。
【図１１】図２に係る作用説明図。
【図１２】同上。
【図１３】同実施形態の変形例に係る模式的な平面図。
【発明を実施するための形態】
【００２３】
以下、本発明の一実施形態を、図１〜図１２を参照して説明する。
【００２４】
本実施形態の可動間仕切装置は、例えば、オフィスの執務空間や会議室を構成している部屋Ｒを平面視複数の空間に仕切り得るように構成されたものである。この可動間仕切装置は、部屋Ｒの天井に配されたレール１と、このレール１に沿って移動可能であり部屋Ｒを間仕切るための複数のパネル２と、レール１に支持され当該レール１の延伸方向に沿って移動可能に構成されパネル２を少なくとも二方向から接続可能であり、且つレール１に沿った所定位置に位置決めされ得る支柱３とを具備するものである。
【００２５】
以下、可動間仕切装置の具体的な構成について説明する。
【００２６】
レール１は、本実施形態では、部屋Ｒの天井に当該部屋Ｒを間仕切るために平面視Ｔ字状に設けられている。このレール１は、上述の通り平面視Ｔ字状に設けられることにより、少なくとも一部に部屋Ｒを屈曲形状により間仕切り得る屈曲部分１５が存在する。
【００２７】
当該レール１は、図３、図４、図７及び図８に示すように、例えば金属素材によって形成されるレール本体１１と、このレール本体１１の上半分に形成される上側レール１２と、この上側レール１２の下側に構成される下側レール１３とを有している。これら上側レール１２及び下側レール１３により、パネル２及び支柱３を移動可能に支持している。
【００２８】
また本実施形態では、このレール１の下端面において、少なくとも支柱３を位置決めするっためのピン挿入孔１４が形成されている。なお当該ピン挿入孔１４は、上記支柱３を位置決めする箇所以外に上記パネル２を位置決めするために設けられているが、当該ピン挿入孔１４の具体的な配置については、レール１自体の配置やパネル２の具体的な寸法に応じて適宜変更し得るものであるため、具体的な説明を省略する。
【００２９】
レール本体１１は、上述の通り例えば金属素材の押し出しによって形成されるものである。上側レール１２は、レール本体１１の最上部分の箇所に設けられた上ローラ３２を一側方から添設可能に構成されるとともに、この上ローラ３２の下面側を支持し得るように設けられている。これにより、上側レール１２に支持された上ローラ３２は平面視スムーズに移動し得る。下側レール１３は、レール本体１１に設けられた下ローラ３３を他側方から添設可能に構成されるとともに、この下ローラ３３の下面側を支持し得るように設けられている。これにより、下側レール１３に支持された下ローラ３３は平面視スムーズに移動し得る。
【００３０】
ピン挿入孔１４は、本実施形態では上記下側レール１３の下面側に設けられた開口である。当該ピン挿入孔１４は、レール本体１１における所定の位置に支柱３やパネル２を位置決めし得るよう、レール本体１１における任意の複数箇所に設けられている。屈曲部分１５は、レール本体１１が平面視Ｔ字状、十字形形状、或いはＬ字形形状をなす部分においてレール本体１１が任意の角度をなして屈曲している部分である。この屈曲部分１５は、本実施形態では複数のピン挿入孔１４が設けられることにより、支柱３を確実に位置決めし得るように構成されている。
【００３１】
なお本実施形態では、上記レール１に設けられたピン挿入口１４と平面視同じ位置における床面４にも同様のピン挿入孔４４が設けられている。これにより支柱３を上下両端から確実に位置決めすることができる。
【００３２】
パネル２は、上記レール１に少なくとも上側を支持されながら適宜移動することにより、平面視矩形状をなす支柱３の四面全てに接続し得るように構成されるものである。このパネル２は天井及び床面４に亘り略遮蔽し得る上下寸法を有し、平面視所定の寸法を有するように構成された板状をなすパネル本体２１を主体とするものである。またこのパネル２は、パネル２同士並びに支柱３に対しレール１に沿った方向に接続し得るよう適宜の接続機構を有している。当該接続機構については既存の構成を種々適用し得るため、具体的な説明を省略する。そして本実施形態に係るパネル２の内、一部のパネル２は図１０に示すように、上記パネル本体２１に加え、このパネル本体から平面視突出することにより支柱へ係合し得る突出部２２を有したものが配置されている。当該突出部２２を有したパネル２が配置されることにより、パネル本体２１の寸法又は当該寸法の和から支柱２までの距離が若干離間することがあっても、当該突出部２２を突出させることにより部屋Ｒを好適に間仕切ることが可能である。
【００３３】
支柱３は、上端部分を上記レール１に沿って移動可能に設けられたものである。この支柱３は、レール１が屈曲又は交差する屈曲部分１５に位置決めされる。支柱３は平面視矩形状をなす支柱本体３１を主体とするものであり、矩形状をなす四面の少なくとも二面、本実施形態では四面にパネル２を接続し得るよう構成されるパネル接続面３５を有している。このパネル接続面３５の具体的な構成は、パネル２同士を互いに接続する構成に準じるものであるため、具体的な説明は省略する。この支柱３は、レール１が交差する屈曲部分１５に位置決めされるべく、レール１に沿った所定位置において部屋Ｒの天井側及び床面４側に位置決めされるための位置決め機構５を有する。
【００３４】
位置決め機構５は、図３〜１０に示すように、操作レバー５１と、操作レバー５１の動作により突出する突出部５２と、操作レバー５１の動作により動作可能であり床面４側及び天井側に係合し得る係合部５５と、操作レバー５１の動作寸法よりも大きな作動寸法で係合部５５を動作させる動作寸法増幅部５３と、増幅された動作を係合部５５に伝えるための動作伝達部５４と、係合部５５が天井側及び床面４側に位置決めされた後の当該係合部５５の余剰動作を吸収する緩衝機構５６とを有している。
【００３５】
操作レバー５１は、図３〜６に模式的に示すように、使用者に主に操作され得る操作端５１ａと、回転中心である回転軸５１ｂと、本実施形態では操作端５１ａから回転軸５１ｂを挟んだ位置にある上作用端５１ｃと、この上作用端５１ｃから回転軸５１ｂを挟んだ操作端５１ａ近傍に位置付けられた下作用端５１ｄとを有している。
【００３６】
突出部５２は、操作レバー５１への下方向の操作により上方向に突出する上突出部５２ａと、下方向に突出する下突出部５２ｂとを有している。
【００３７】
動作寸法増幅部５３は、上突出部５２ａの上端及び下突出部５２ｂの下端にそれぞれ設けられ支柱本体３１に回動可能に位置付けられたものである。この動作寸法増幅部５３は、支柱本体３１に回転可能且つ位置変更不能に設けられた固定軸部５３ａと、上突出部５２ａ又は下突出部５２ｂからの作用力を受ける入力端５３ｂと、この入力端５３ｂに対し固定軸部５３ａから大きい寸法を隔てて設けられた出力端５３ｃとを有している。この出力端５３ｃは、固定軸部５３ａとの間の寸法が、入力端５３ｂと固定軸部５３ａとの間の寸法の略倍に設定されている。これにより、入力端５３ｂにより入力された操作レバー５１側の動作により、出力端５３ｃでは略倍の寸法となって動作させることとなる。
【００３８】
動作伝達部５４は、出力端５３ｃからそれぞれ上下に支柱本体３１の上下端近傍まで延出する上延出部及び下延出部とを有している。これら上延出部及び下延出部は、それぞれ緩衝機構５６を介して係合部５５に接続されている。
【００３９】
係合部５５は、支柱本体３１の上下端に上下動作可能に嵌入された動作ブロック５５ａと、この動作ブロック５５ａの端部に設けられ上記レール１並びに床面４のピン挿入孔１４、４４に挿入されることで位置決めされ得る挿入ピン５５ｂとを有している。
【００４０】
緩衝機構５６は、動作伝達部５４に接続されたコイルバネ５６ａと、このコイルバネ５６ａの中央に配置されたバネ軸５６ｂとを有している。
【００４１】
そして、本実施形態に係る可動間仕切装置を構成する支柱３は、レール１に沿って移動し得る状態では操作レバー５１が略鉛直上向きに配されている。そして、この操作レバー５１を下方向へ略１８０°回動させることにより、支柱本体３１の上下に設けられた係合部５５が当該支柱本体３１より突出し、レール１並びに床面４に設けられたピン挿入孔１４、４４に挿入ピン５５ｂが挿入され、上下から共に強固に位置決めされる。このとき、挿入ピン５５ｂが上下にそれぞれ突出し得る寸法は操作レバー５１による入力寸法よりも大きく変換された動作伝達部５４が上下動し得る寸法である。ここで、本実施形態では動作伝達部５４の上下動し得る寸法の途中で上下の挿入ピン５５ｂはそれぞれピン挿入孔１４、４４に到達してしまうため、操作レバー５１の動作途中で動作が完了してしまうこととなる。しかしながら本実施形態では動作伝達部５４は上述の緩衝機構５６を介して係合部５５に接続しているため、動作伝達部５４の余剰の動作を緩衝機構５６に適宜吸収させることにより、挿入ピン５５ｂのピン挿入孔１４、４４への挿入を好適に実現している。加えて、挿入ピン５５ｂがピン挿入孔１４、４４へ挿入されている状態においてはコイルバネ５６ａが挿入方向へ挿入ピン５５ｂを動作ブロック５５ａを介して常に弾性付勢しているので、位置決めされた支柱３のがたつきを有効に防止している。さらに、部屋Ｒの経年的な使用等によって、もしも天井側のレール１から床面４までの距離に誤差が生じたとしても、当該緩衝機構５６により、支柱３のがたつきのない好適な位置決めが実現され得る。
【００４２】
しかる後、レール１に沿ってパネル２を動作させれば、図１及び図２に示すように、複数のパネル２はそれぞれ隣接するパネル２同士接続されながら支柱３のパネル接続面３５へ接続され、本実施形態では平面視Ｔ字状に部屋Ｒを間仕切ることができる。
【００４３】
また図１０に示すように、本実施形態では部屋Ｒを所定の寸法にて間仕切るため、パネル２を連結した際の寸法と支柱３の位置とが合致しない場合もあり得る。このとき本実施形態では、同図に示すように任意の位置に配されるパネル２に対し、パネル本体２１から適宜突出する突出部２２を設けている。これにより、部屋Ｒの寸法に拘わらず、所定の規格に応じた複数のパネル２を用いて部屋Ｒを好適に間仕切ることができる。
【００４４】
このように本実施形態では上述した図８、図９等に示すように、レール１に設けられた屈曲部分１５において位置決め機構５の作用により支柱３が天井側であるレール１のピン挿入孔１４及び床面４に設けられたピン挿入孔４４にそれぞれ上下の挿入ピン５５ｂが挿入され、強固に位置決めされる。その結果、図１及び図２に示すような部屋Ｒを平面視Ｔ字状に間仕切る態様から、図１１（ａ）、図１１（ｂ）に示すように平面視直線状に間仕切る態様や平面視Ｌ字状に間仕切る態様へと容易に変更することができる。また本実施形態に係る支柱３は上述の通り矩形状をなす四面全てがパネル２に接続し得ることから、レール１の配置によっては図１２に示すように部屋Ｒを平面視十字すなわち＋形状である四つに間仕切ることも可能である。
【００４５】
さらに、本実施形態の変形例として、図１３に示す態様を挙げることができる。以下、本実施形態の変形例について説明する。以下の変形例において上記実施形態における構成要素に相当するものについては同じ符号を付すとともに、その詳細な説明を省略する。
【００４６】
同図に示す態様は、レール１が、屈曲部分１５を複数である二つ有することにより一つの部屋Ｒを都合六つに間仕切るためのものである。この場合であっても、レール１に支持されている支柱３が、それぞれの屈曲部分１５に位置決めされるよう複数つまり二つ設けられているので、これら二つの支柱３にそれぞれパネル２を接続すれば、部屋Ｒを六つに間仕切る態様、またレール１の形状に沿って適宜の平面視形状に間仕切ることが可能である。このとき、パネル本体２１から突出する突出部２２を有するパネル２を適用すれば、部屋Ｒの寸法に好適に適応させつつ部屋Ｒを間仕切ることが可能となる。
【００４７】
以上のように、本実施形態に係る可動間仕切装置は、部屋Ｒを平面視複数の空間に仕切り得るように天井に配されたレール１と、このレール１に沿って移動可能であり部屋Ｒを間仕切るための複数のパネル２と、レール１に支持され当該レール１の延伸方向に沿って移動可能に構成されパネル２を少なくとも二方向から接続可能であり、且つレール１に沿った所定位置に位置決めされ得る支柱３とを具備することを特徴とする。
【００４８】
斯かる構成により、支柱３とパネル２とを別途準備し、且つ撤収するという煩わしい手間を有効に省かれている。換言すれば、レール１に沿ってパネル２を移動させ当該パネル２の配置を行う作業に併せて支柱３の配置をも行うことが実現されている。その結果本実施形態によれば、部屋Ｒの天井に設けられたレール１の配置を有効に利用して種々なパネル２の配置を安定して実現し得る可動間仕切装置が実現されている。
【００４９】
パネル２同士が接続し得ない配置において有効に支柱３を利用し部屋Ｒを間仕切る作業をより速やかに行い得るようにするために本実施形態では、レール１が、少なくとも一部に有する屈曲形状により部屋Ｒを仕切り得るものであり、支柱を、レール１が屈曲又は交差する屈曲部分１５に位置決めされるように構成している。
【００５０】
支柱３の汎用性を高くしつつ、種々のレール１の配置に適合し易くするために本実施形態では、支柱３を平面視矩形状をなすものとし、当該矩形状をなす四面の少なくとも二面にパネル２を接続し得るものとしている。
【００５１】
そして、より汎用性の高い支柱３を実現すべく、部屋Ｒを仕切るバリエーションを多彩なものとするために本実施形態では、パネル２が、矩形状をなす支柱３の四面全てに接続し得るように支柱３を構成するようにしている。
【００５２】
レール１の配置をより有効に使い得る構成として本実施形態では、レール１を平面視Ｔ字状をなすように天井に設け、支柱３を、レール１が交差する屈曲部分１５に位置決めされるようにする態様を挙げている。
【００５３】
また、使用者にとって部屋Ｒの間仕切りの自由度をより向上するようにするために本実施形態では、複数のパネル２を、平面視Ｔ字状から平面視Ｌ字状をなすように配列されるように変更できるようになっている。これにより、部屋Ｒを間仕切るバリエーションを容易に適宜変更することができる。
【００５４】
更に、部屋Ｒの間仕切りのバリエーションをより多彩なものとするために本実施形態の変形例として、レール１を、屈曲部分１５を複数有するものとし、支柱３を、それぞれの屈曲部分１５に位置決めされるよう複数設ける態様を挙げている。
【００５５】
複数のパネル２の位置決めをより確実なものとするために本実施形態では、支柱３に、レール１に沿った所定位置において部屋Ｒの天井側及び床面４側に位置決めされるための位置決め機構５を設けている。
【００５６】
また、使用者にとって位置決め機構５の動作をより簡便且つ確実に行い得るようにするために本実施形態では、位置決め機構５を、操作レバー５１と、操作レバー５１の動作により動作可能であり床面４側及び天井側に係合し得る係合部５５と、操作レバー５１の動作寸法よりも大きな作動寸法で係合部５５を動作させる動作寸法増幅部５３とを有する構成を適用している。
【００５７】
そして、部屋Ｒにおける天井面及び床面４との間の寸法の誤差が生じる場合があっても支柱３が確実に位置決めされるようにするための構成として本実施形態では、位置決め機構５が、係合部５５が天井側及び床面４側に位置決めされた後の当該係合部５５の余剰動作を吸収する緩衝機構５６を有している構成を採用している。
【００５８】
また、部屋Ｒの大きさや部屋Ｒを間仕切るための寸法の設定により、複数のパネル２を連結させた端部の位置と支柱３が位置決めされる位置とが離間する場合があるが、斯かる場合であってもパネル２が支柱３とともに部屋Ｒを好適に間仕切るようにする構成として本実施形態では、パネル２が、平面視所定の寸法を有するパネル本体２１と、このパネル本体２１から平面視突出することにより支柱３へ係合し得る突出部２２とを有している構成を挙げている。
【００５９】
以上、本発明の一実施形態について説明したが、各部の具体的な構成は、上述した実施形態のみに限定されるものではなく、本発明の趣旨を逸脱しない範囲で種々変形が可能である。
【００６０】
例えば、上記実施形態では支柱を一の部屋に対し一本又は二本用いながらパネルにより部屋を間仕切る態様を開示したが勿論、一の部屋に対する支柱を設ける本数は三本以上である態様を否定するものではない。換言すれば、部屋を間仕切りしようとするレイアウトに応じて適宜支柱の本数を変更することが可能である。また上記実施形態では支柱の形状を平面視矩形状とし四面全てにパネルを接続し得る態様を開示したが勿論、支柱の平面視形状やパネルを接続し得る箇所は、部屋を間仕切るレイアウトや支柱そのもののデザインに応じて適宜変更することが可能である。
【００６１】
また、パネルやレールといった支柱以外の部分の具体的な形状や仕様といったその他の詳細な構成も、本発明の趣旨を逸脱しない範囲で種々変形が可能である。
【符号の説明】
【００６２】
１・・・レール
１５・・・屈曲部分
２・・・パネル
２１・・・パネル本体
２２・・・突出部
３・・・支柱
５・・・位置決め機構
５１・・・操作レバー
５３・・・動作寸法増幅部
５５・・・係合部
５６・・・緩衝機構
【図１】
2019100142.tif 000003
【図２】
2019100142.tif 000004
【図３】
2019100142.tif 000005
【図４】
2019100142.tif 000006
【図５】
2019100142.tif 000007
【図６】
2019100142.tif 000008
【図７】
2019100142.tif 000009
【図８】
2019100142.tif 000010
【図９】
2019100142.tif 000011
【図１０】
2019100142.tif 000012
【図１１】
2019100142.tif 000013
【図１２】
2019100142.tif 000014
【図１３】
2019100142.tif 000015